(57)【要約】【課題】基板を貫通する構造物を設置するときにも液体が基板を通過することを抑制できる電子機器を提供する。【解決手段】ウォータージェットメス装置１は第１孔２１ａを有する筒状の第１突起３４を有する水受基板２１と、第１孔２１ａに挿入される第２突起３５と第１突起３４が挿入される第１凹部３７とを有する第１ボタン１１と、を備える。第１突起３４、第２突起３５及び第１凹部３７は同軸の回転体である。【選択図】図４
2018005979.tif 000002
【特許請求の範囲】
【請求項１】
貫通孔を有する筒状の第１突起を有する基板と、
前記貫通孔に挿入される第２突起と前記第１突起が挿入される凹部とを有する構造物と、を備えることを特徴とする電子機器。
【請求項２】
請求項１に記載の電子機器であって、
前記第１突起、前記第２突起及び前記凹部は同軸の回転体であることを特徴とする電子機器。
【請求項３】
請求項１または２に記載の電子機器であって、
前記第１突起の外周側の側面である第１側面と、
前記凹部の側面である第２側面と、は撥水性を有していることを特徴とする電子機器。
【請求項４】
請求項３に記載の電子機器であって、
前記第１突起と前記凹部との間の隙間を第１隙間とし、前記貫通孔と前記第２突起との間の隙間を第２隙間とし、前記第２隙間は前記第１隙間より狭いことを特徴とする電子機器。
【請求項５】
請求項１〜４のいずれか一項に記載の電子機器であって、
前記基板において前記第１突起が突出する面は親水性を有していることを特徴とする電子機器。
【請求項６】
請求項１〜５のいずれか一項に記載の電子機器であって、
前記基板の前記第１突起の反対側には前記第２突起と接続するスイッチを有する回路基板を備え、
前記基板は前記第１突起と前記凹部との間に位置する気体の移動方向を規制する規制弁を備えることを特徴とする電子機器。
【請求項７】
請求項１〜５のいずれか一項に記載の電子機器であって、
前記構造物は光透過性を有し、
前記基板の前記第１突起の反対側には前記第２突起と対向する場所に光源を有する回路基板を備えることを特徴とする電子機器。
【請求項８】
請求項１〜７のいずれか一項に記載の電子機器であって、
前記基板の前記第１突起の側に位置し前記構造物が露出する外装部と、
前記外装部と前記基板との間に位置し液体の流動を規制する流路壁と、
前記液体を排出する排水口と、を備え、
前記流路壁は前記液体を前記排水口に導くことを特徴とする電子機器。
【発明の詳細な説明】
【技術分野】
【０００１】
本発明は、電子機器に関するものである。
【背景技術】
【０００２】
操作者が操作するボタンを備えた各種の電子機器が広く用いられている。このような電子機器が特許文献１に開示されている。それによると、電子機器は回路基板を備え、回路基板上にスイッチが設置されている。そして、回路基板を覆って筐体が設置されている。スイッチを押すボタンが設置され、ボタンの一部が筐体から露出する。筐体には孔が設置され、ボタンの一部が孔から露出する。そして、この孔とボタンとの隙間から液体が浸入しても回路基板は濡れない構造になっている。
【０００３】
筐体と回路基板との間には基板が設置され、ボタンと対向する位置に筒状の第１突起が設置されている。突起の内部には貫通孔が設置され、ボタンから延びる第２突起が貫通孔の内部に位置する。そして、第２突起がスイッチと接触する。
【０００４】
筒状の第１突起の周囲にはボタンから基板に向かって延びる筒状の第３突起が設置されている。第１突起と第３突起は共に筒状であり、隙間が狭くなっている。筐体の孔とボタンとの隙間から液体が浸入するとき、液体が基板上を流れる。そして、第１突起と第３突起との間の隙間は液体が浸入し難いので、液体が隙間を通って基板の方向へ進入し難くなっている。
【先行技術文献】
【特許文献】
【０００５】
【特許文献１】特開２００８−１３２９１７号公報
【発明の概要】
【発明が解決しようとする課題】
【０００６】
特許文献１のように第１突起と第３突起との間の隙間が狭くなっているときにも基板からの水位によっては隙間に水分が入る。そして、操作者がボタンを押すとき第１突起と第３突起との間の隙間が変動する。このとき、隙間に入った液体は第１突起の壁と第３突起の壁とに挟まれて勢いがつく。そして、液体が第１突起の貫通孔を通って基板に至り、回路基板が濡れる恐れがある。回路基板が濡れるとき電気が液体を通って流れるので、回路基板が誤動作を起こす。そこで、基板を貫通するボタン等の構造物を設置するときにも液体が基板を通過することを抑制できる電子機器が望まれていた。
【課題を解決するための手段】
【０００７】
本発明は、上述の課題を解決するためになされたものであり、以下の形態または適用例として実現することが可能である。
【０００８】
［適用例１］
本適用例にかかる電子機器であって、貫通孔を有する筒状の第１突起を有する基板と、前記貫通孔に挿入される第２突起と前記第１突起が挿入される凹部とを有する構造物と、を備えることを特徴とする。
【０００９】
本適用例によれば、電子機器は基板及び構造物を備えている。基板は筒状の第１突起を有しており、筒状の第１突起の内側は貫通孔になっている。構造物は第２突起を備え、第２突起が貫通孔に挿入されている。さらに、構造物は凹部を備え、第１突起が凹部に挿入されている。
【００１０】
基板の第１突起側の面を第１面とし、第１面と反対側の面を第２面とする。基板は貫通孔を備えている。さらに、第１突起と凹部との間の隙間を第１隙間とし、貫通孔と第２突起との間の隙間を第２隙間とする。第１面に液体が位置するとき液体が第２面に移動するためには第１隙間及び第２隙間を流動する必要がある。
【００１１】
特許文献１の構造には第１隙間に相当する隙間があるが第２隙間に相当する隙間がない。このとき、操作者が構造物を操作するとき、基板に対して構造物が傾き易くなる。また、基板の平面方向に構造物が移動し易くなる。そして、構造物が傾いたり移動するとき、第１隙間の間隔が変動するので第１隙間に位置する液体が壁に押されて貫通孔に移動する。本適用例の電子機器は第１隙間及び第２隙間の２つの隙間を備える構造になっている為、構造物の傾きや基板の平面方向の移動が抑制されている。その結果、基板を貫通する構造物を設置するときにも液体が基板を通過することを抑制できる。
【００１２】
［適用例２］
上記適用例にかかる電子機器において、前記第１突起、前記第２突起及び前記凹部は同軸の回転体であることを特徴とする。
【００１３】
本適用例によれば、第１突起、第２突起及び凹部は同軸の回転体である。従って、軸と交差するいずれの方向から押されるときにも構造物の傾きや基板の平面方向の移動を抑制できる。
【００１４】
［適用例３］
上記適用例にかかる電子機器において、前記第１突起の外周側の側面である第１側面と、前記凹部の側面である第２側面と、は撥水性を有していることを特徴とする。
【００１５】
本適用例によれば、第１突起の外周側の側面である第１側面は撥水性を有している。さらに、凹部の側面である第２側面も撥水性を有している。従って、第１側面及び第２側面上に沿って水等の液体が移動し難い。従って、第１側面と第２側面との間である第１隙間を液体が通過し難くできる。
【００１６】
［適用例４］
上記適用例にかかる電子機器において、前記第１突起と前記凹部との間の隙間を第１隙間とし、前記貫通孔と前記第２突起との間の隙間を第２隙間とし、前記第２隙間は前記第１隙間より狭いことを特徴とする。
【００１７】
本適用例によれば、第２隙間は第１隙間より狭い。従って、基板と構造物とが相対移動するときには貫通孔と第２突起とが摺動するので、第１突起と凹部とが擦れることを抑制できる。その結果、第１側面及び第２側面の表面が荒れて撥水性が損なわれることを抑制できる。
【００１８】
［適用例５］
上記適用例にかかる電子機器において、前記基板において前記第１突起が突出する面は親水性を有していることを特徴とする。
【００１９】
本適用例によれば、基板において第１突起が突出する第１面は親水性を有している。従って、第１面上を液体が容易に通過する。その結果、第１面における水深を深くし難くできる。
【００２０】
［適用例６］
上記適用例にかかる電子機器において、前記基板の前記第１突起の反対側には前記第２突起と接続するスイッチを有する回路基板を備え、前記基板は前記第１突起と前記凹部との間に位置する気体の移動方向を規制する規制弁を備えることを特徴とする。
【００２１】
本適用例によれば、回路基板はスイッチを有している。そして、スイッチは第２突起と接している。従って、操作者は第２突起を押すことによりスイッチを操作できる。規制弁は第１突起と凹部との間に位置する気体の移動方向を規制する。従って、操作者が構造物を押して動かすとき、第１突起と凹部との間に位置する気体は所定の方向に移動する。このとき、気体が第１面側に移動するように気体を規制することにより、液体が第１隙間を通過することを抑制できる。
【００２２】
［適用例７］
上記適用例にかかる電子機器において、前記構造物は光透過性を有し、前記基板の前記第１突起の反対側には前記第２突起と対向する場所に光源を有する回路基板を備えることを特徴とする。
【００２３】
本適用例によれば、構造物は光透過性を有している。そして、基板の第２面側には回路基板が設置され、第２突起と対向する場所に光源が設置されている。従って、構造物を介して回路基板上の光源が点灯しているか否かを視認性良く確認できる。
【００２４】
［適用例８］
上記適用例にかかる電子機器において、前記基板の前記第１突起の側に位置し前記構造物が露出する外装部と、前記外装部と前記基板との間に位置し液体の流動を規制する流路壁と、前記液体を排出する排水口と、を備え、前記流路壁は前記液体を前記排水口に導くことを特徴とする。
【００２５】
本適用例によれば、基板の第１面側には外装部が位置している。そして、構造物が外装部から露出する。外装部と基板との間には流路壁が設置され、流路壁は液体の流動を規制する。そして、流路壁は液体を排水口に導き、排水口から液体が排出される。従って、液体が基板上に留まることを抑制できる。
【図面の簡単な説明】
【００２６】
【図１】ウォータージェットメス装置の構成を示す概略斜視図。
【図２】操作パネルの構成を示す分解斜視図。
【図３】ボタンユニット、水受基板及びデジタル表示部の配置を示す模式平面図。
【図４】ボタン及び水受基板の構造を示す要部模式断面図。
【図５】第１突起及び第３突起の位置関係を説明するための要部模式断面図。
【図６】導光部及び水受基板の構造を示す要部模式断面図。
【図７】第１突起及び第３突起の位置関係を説明するための要部模式断面図。
【発明を実施するための形態】
【００２７】
以下、実施形態について図面に従って説明する。尚、各図面における各部材は、各図面上で認識可能な程度の大きさとするため、各部材毎に縮尺を異ならせて図示している。
【００２８】
（実施形態）
本実施形態では、電子機器の一種であるウォータージェットメス装置の特徴的な例について、図に従って説明する。実施形態にかかわるウォータージェットメス装置について図１〜図７に従って説明する。図１は、ウォータージェットメス装置の構成を示す概略斜視図である。図１に示すように、電子機器としてのウォータージェットメス装置１は制御装置２を備えている。制御装置２の図中左側が前側であり、制御装置２の前側には操作パネル３が設置されている。
【００２９】
制御装置２の背面にはパック設置棒４が設置されている。パック設置棒４には生理食塩水が収納されたパック５が設置される。パック５にはチューブ６が接続され、チューブ６はチューブポンプ７に接続される。さらに、チューブ６はチューブポンプ７から延びてハンドピース８に接続されている。ハンドピース８にはノズル９が設置されており、ノズルから生理食塩水が噴射される。以下生理食塩水を液体と称す。液体は水に食塩を溶解したものであり極性物質が多い状態になっている。
【００３０】
操作パネル３には操作者がウォータージェットメス装置１を操作するためのスイッチ群や表示装置が設置されている。操作パネル３の図中下側にはウォータージェットメス装置１を起動する電源スイッチ１０が設置されている。操作パネル３では図中右側にノズル９から噴射する水量を調整するための構造物としての第１ボタン１１及び構造物としての第２ボタン１２が設置されている。
【００３１】
第１ボタン１１及び第２ボタン１２の図中左側にはデジタル表示部１３が設置されている。デジタル表示部１３にはウォータージェットメス装置１の制御状態を示す数値が表示される。デジタル表示部１３の図中下側には構造物としての第３ボタン１４及び構造物としての第４ボタン１５が設置されている。第３ボタン１４及び第４ボタン１５はウォータージェットメス装置１の動作モード等を設定するためのボタンである。
【００３２】
デジタル表示部１３の図中左側には光学式のインジケーター１６が設置されている。インジケーター１６は光の点滅や点灯でウォータージェットメス装置１の状態を報知する。
【００３３】
図２は、操作パネルの構成を示す分解斜視図である。図２に示すように、操作パネル３では外装部１７、ボタンユニット１８、基板としての水受基板２１、回路基板２２及びシールド板２３が重ねて設置されている。外装部１７には第１ボタン１１及び第２ボタン１２を露出させる第１孔１７ａが設置されている。他にも、外装部１７には第３ボタン１４を露出させる第２孔１７ｂ及び第４ボタン１５を露出させる第３孔１７ｃが設置されている。他にも、外装部１７にはデジタル表示部１３が見えるように露出させる第４孔１７ｄ及びインジケーター１６を露出させる第５孔１７ｅが設置されている。外装部１７において回路基板２２を向く側が裏側とし、裏側の反対側を表側とする。
【００３４】
外装部１７の表側には第４孔１７ｄを塞ぐ光透過性の保護板２４が設置されている。保護板２４は操作パネル３の内部に塵、埃及び液体が浸入することを防止する。
【００３５】
第１ボタン１１と第２ボタン１２との間には隙間板２５が配置されている。隙間板２５は第１ボタン１１と第２ボタン１２との間の隙間を埋める板である。そして、第１ボタン１１、第２ボタン１２及び隙間板２５は第１孔１７ａに挿入される。第１孔１７ａに液体が到達するとき、隙間板２５は第１ボタン１１と第２ボタン１２との間から操作パネル３の内部に液体が流動することを抑制する。
【００３６】
第２孔１７ｂには第３ボタン１４が挿入され、第３孔１７ｃには第４ボタン１５が挿入される。そして、各第５孔１７ｅにはインジケーター１６を構成する部品である構造物としての導光部２６が設置される。ボタンユニット１８及び導光部２６は外装部１７の裏側から各孔に挿入される。
【００３７】
ボタンユニット１８及び導光部２６を挟んで水受基板２１が設置される。水受基板２１には第１ボタン１１の一部を通過させる貫通孔としての第１孔２１ａが設置され、第２ボタン１２の一部を通過させる貫通孔としての第２孔２１ｂが設置されている。他にも、水受基板２１には第３ボタン１４の一部を通過させる貫通孔としての第３孔２１ｃが設置され、第４ボタン１５の一部を通過させる貫通孔としての第４孔２１ｄが設置されている。他にも、水受基板２１にはデジタル表示部１３の一部を通過させる第５孔２１ｅ及びインジケーター１６の一部を通過させる貫通孔としての第６孔２１ｆが設置されている。
【００３８】
回路基板２２には第１ボタン１１、第２ボタン１２、第３ボタン１４及び第４ボタン１５と対向する場所にスイッチ２７が設置され、各スイッチはそれぞれ第１ボタン１１〜第４ボタン１５に押圧される。他にも、回路基板２２にはデジタル表示部１３及び光源としてのＬＥＤ素子２８（Ｌｉｇｈｔ  Ｅｍｉｔｔｉｎｇ  Ｄｉｏｄｅ）が設置されている。ＬＥＤ素子２８及び導光部２６によりインジケーター１６が構成され、導光部２６はＬＥＤ素子２８と対向して設置される。
【００３９】
回路基板２２の裏側にはシールド板２３が設置されている。シールド板２３は磁気を遮り、回路基板２２に塵が付着することを防止する。水受基板２１、回路基板２２及びシールド板２３はねじ２９により外装部１７に固定されている。
【００４０】
外装部１７、ボタンユニット１８及び水受基板２１の材料は樹脂材料である。樹脂材料は複雑な形状の部品を容易に形成できる。樹脂材料の種類は特に限定されない。本実施形態では、例えば、外装部１７、ボタンユニット１８及び水受基板２１の材料にポリカーボネイト樹脂とＡＢＳ（アクリルニトリル・ブタジエン・スチレン）樹脂とを混合した材料を用いている。導光部２６の材料は透明度の高い樹脂であれば良く、特に限定されないが、本実施形態では例えば、汎用ポリスチレン樹脂を用いている。
【００４１】
図３は、ボタンユニット、水受基板及びデジタル表示部の配置を示す模式平面図である。図３に示すように、水受基板２１の形状は図中右側に長い長方形になっている。水受基板２１の長手方向をＸ方向とし、水受基板２１の平面方向においてＸ方向と直交する方向をＹ方向とする。そして、水受基板２１の平面方向と直交する方向をＺ方向とする。
【００４２】
水受基板２１には第１ボタン１１〜第４ボタン１５、デジタル表示部１３及び導光部２６が配置されている。水受基板２１の周囲の４辺には流路壁３０が設置されている。水受基板２１において第１ボタン１１〜第４ボタン１５が設置される側の面を第１面としての表面２１ｇとする。表面２１ｇと反対側の面を第２面としての裏面２１ｉとする。流路壁３０は表面２１ｇ側に突出し外装部１７と接触する。水受基板２１の−Ｙ方向且つ−Ｘ方向側の端には排水口２１ｈが設置されている。排水口２１ｈには図示しない配管が設置され、配管は制御装置２の外側に続いている。
【００４３】
水受基板２１の表面２１ｇ側には第１孔１７ａ〜第５孔１７ｅから第１ボタン１１〜第４ボタン１５等が露出する外装部１７が設置されている。そして、パック５内の液体が漏れて外装部１７上を流れるとき、一部の液体は第１孔１７ａ〜第５孔１７ｅから外装部１７の内側に入って水受基板２１の表面２１ｇを流れる。このとき、液体は重力により−Ｙ方向側に流れて流路壁３０に到達する。そして、流路壁３０は外装部１７と水受基板２１との間に位置し液体の流動を規制する。液体は流路壁３０に沿って流動し排水口２１ｈから配管内に流れ込む。そして、液体は配管を通って制御装置２の外側に排出される。つまり、外装部１７と水受基板２１との間に位置する流路壁３０が液体の流動を規制し、流路壁３０は液体を排水口２１ｈに導く。そして、排水口２１ｈから液体が排出される。
【００４４】
水受基板２１において表面２１ｇは親水性を有している。従って、表面２１ｇを液体が容易に通過する。その結果、表面２１ｇにおける水深を深くし難くできる。
【００４５】
ボタンユニット１８において第１ボタン１１の周囲にはＵ字形の孔３１とＨ字形の孔３２が設置されている。孔３１及び孔３２により第１ボタン１１を支える梁の部分が長くなっており第１ボタン１１がＺ方向に移動し易くなっている。第２ボタン１２〜第４ボタン１５も同様の構造になっているのでＺ方向に移動し易くなっている。
【００４６】
第１ボタン１１の＋Ｙ方向側には湯口用凹部３３が設置されている。湯口用凹部３３は射出成形するときの湯口が位置する場所である。湯口を第１ボタン１１の近くに設置することにより、第１ボタン１１にウエルドラインを生じ難くしている。第１ボタン１１にウエルドラインがあるとき、第１ボタン１１を押すときの耐久性が低下する。従って、湯口用凹部３３を第１ボタン１１の近くに設置することにより、第１ボタン１１を押すときの耐久性を向上できる。尚、第２ボタン１２〜第４ボタン１５においても湯口用凹部３３を各ボタンの近くに設置することにより、各ボタンを押すときの耐久性を向上させている。
【００４７】
図４はボタン及び水受基板の構造を示す要部模式断面図である。図４に示すように、第１ボタン１１と対向する場所の水受基板２１には表面２１ｇに＋Ｚ方向に延びる円筒状の第１突起３４が設置されている。第１突起３４は第１孔２１ａと同軸でありＺ方向に延びる回転体である。第１突起３４の内側が第１孔２１ａになっている。
【００４８】
第１ボタン１１には−Ｚ方向に延びる円柱状の第２突起３５が設置されている。そして、第２突起３５が第１孔２１ａに挿入されている。さらに、第１ボタン１１には−Ｚ方向に延びる円筒状の第３突起３６が設置されている。第３突起３６は第１孔２１ａと同軸でありＺ方向に延びる回転体である。第３突起３６の内径側が凹部としての第１凹部３７になっている。そして、第１ボタン１１に設置された第１凹部３７に第１突起３４が挿入されている。
【００４９】
第１突起３４、第２突起３５及び第１凹部３７は同軸の回転体になっている。従って、軸と交差するいずれの方向から押されるときにも第１ボタン１１の傾きや第１ボタン１１が水受基板２１の平面方向に移動するのを抑制できる。
【００５０】
水受基板２１の第１突起３４の反対側である−Ｚ方向側には第２突起３５と接続するスイッチ２７が回路基板２２に設置されている。そして、水受基板２１は第１突起３４と第１凹部３７との間に位置する気体の移動方向を規制する規制弁３８を備えている。規制弁３８は水受基板２１側から回路基板２２に向かって延びる円筒状の形状をしている。そして、規制弁３８の厚みは水受基板２１側が厚く、回路基板２２側が薄くなっている。そして、規制弁３８においてシールド板２３側の端は第２突起３５の軸側に向かっている。
【００５１】
このため、水受基板２１と回路基板２２との間の気体としての空気は規制弁３８の内側に入り易く外側に出難くなっている。そして、操作者が第１ボタン１１を押して動かすとき、第１突起３４と第１凹部３７との間に位置する気体は外装部１７の第１孔１７ａの方向に移動する。このとき、第１突起３４と第３突起３６との間に液体が浸入しても空気とともに第１孔１７ａ側に液体を移動させることができる。このように、空気が第１凹部３７から第１孔１７ａに移動するように空気の流れを規制することにより、液体が第１突起３４と第１凹部３７との隙間を通過することを抑制できる。
【００５２】
第３突起３６の外周側には水受基板２１から＋Ｚ方向に延びる角筒状の第４突起４１が設置されている。さらに、第４突起４１の外側には第１ボタン１１から−Ｚ方向に延びる角筒状の第５突起４２が設置されている。そして、第５突起４２と第３突起３６との間が四角形状の第２凹部４３になっている。そして、第２凹部４３に第４突起４１の一部が入っている。第１孔１７ａを液体が通過するとき、液体は多くの隙間を通過しないと回路基板２２に到達しない。詳しくは、第１孔１７ａにおける外装部１７と第５突起４２との間の隙間、第５突起４２と第４突起４１との間の隙間、第４突起４１と第３突起３６との間の隙間、第３突起３６と第１突起３４との間の隙間、第１突起３４と第２突起３５との間の隙間を通過しないと液体は回路基板２２に到達しない。従って、第１ボタン１１から入る液体は回路基板２２に到達し難くなっている。
【００５３】
図５は第１突起及び第３突起の位置関係を説明するための要部模式断面図である。図５において、第１突起３４の外周側の側面を第１側面４４とし、第１凹部３７のうち第１側面４４と向かい合う側面を第２側面４５とする。そして、第１側面４４と第２側面４５との間の隙間を第１隙間４６とする。この第１側面４４及び第２側面４５は撥水性を有する撥水面になっている。撥水面は表面に撥水性の膜を設置しても良く、撥水性を有する表面粗さにしても良い。他にも、ボタンユニット１８及び水受基板２１の材料に撥水性を有する材料を含ませても良い。これにより、第１側面４４及び第２側面４５上に沿って液体が移動し難くなる。従って、第１側面４４と第２側面４５との間の第１隙間４６を液体が通過し難くできる。
【００５４】
撥水面は例えばフッ素ガス及び窒素ガスの混合ガス内でプラズマ処理をして形成しても良い。他にも、酸素ガスとフロロカーボンガスプラズマの連続プラズマ処理を行っても良い。他にも、樹脂材料にフッ素化合物を添加してボタンユニット１８及び水受基板２１を成形しても良い。
【００５５】
第１突起３４の第１孔２１ａと第２突起３５との間の隙間を第２隙間４７とする。第２隙間４７は第１隙間４６より狭くなっている。これにより、水受基板２１と第１ボタン１１とが相対移動するときには第１孔２１ａと第２突起３５とが摺動するので、第１突起３４と第１凹部３７の第２側面４５とが擦れることを抑制できる。その結果、第１側面４４及び第２側面４５の表面が荒れて撥水性が損なわれることを抑制できる。
【００５６】
水受基板２１は筒状の第１突起３４を有しており、筒状の第１突起３４の内側は第１孔２１ａになっている。第１ボタン１１は第２突起３５を備え、第２突起３５が第１孔２１ａに挿入されている。さらに、第１ボタン１１は第１凹部３７を備え、第１突起３４が第１凹部３７に挿入されている。
【００５７】
水受基板２１の表面２１ｇに液体が位置するとき液体が裏面２１ｉに移動するためには、液体は第１隙間４６及び第２隙間４７を流動する必要がある。第２隙間４７がないとき、操作者が第１ボタン１１を操作するとき、水受基板２１に対して第１ボタン１１が傾き易くなる。また、水受基板２１の平面方向に第１ボタン１１が移動し易くなる。
【００５８】
そして、第１ボタン１１が傾いたり移動するとき、第１隙間４６の間隔が変動するので第１隙間４６に位置する液体が壁に押されて第１孔２１ａに移動する。ウォータージェットメス装置１は第１隙間４６及び第２隙間４７を備える構造になっている為、第１ボタン１１の傾きや水受基板２１の平面方向の移動が抑制されている。その結果、水受基板２１を貫通する第１ボタン１１を設置するときにも液体が水受基板２１を通過することを抑制できる。
【００５９】
尚、水受基板２１と第２ボタン１２、第３ボタン１４及び第４ボタン１５の構造は同様の構造になっている。従って、水受基板２１を貫通する第２ボタン１２、第３ボタン１４及び第４ボタン１５を設置するときにも液体が水受基板２１を通過することを抑制できる。
【００６０】
図６は導光部及び水受基板の構造を示す要部模式断面図である。図６に示すように、導光部２６と対向する場所の水受基板２１には表面２１ｇに＋Ｚ方向に延びる円筒状の第１突起４８が設置されている。第１突起４８は第６孔２１ｆと同軸でありＺ方向に延びる回転体である。第１突起４８の内側が第６孔２１ｆになっている。
【００６１】
導光部２６には−Ｚ方向に延びる円柱状の第２突起４９が設置されている。そして、第２突起４９が第６孔２１ｆに挿入されている。さらに、導光部２６には−Ｚ方向に延びる円筒状の第３突起５０が設置されている。第３突起５０は第６孔２１ｆと同軸でありＺ方向に延びる回転体である。第３突起５０の内径側が凹部としての第１凹部５１になっている。そして、導光部２６に設置された第１凹部５１に第１突起４８が挿入されている。
【００６２】
水受基板２１の裏面２１ｉ側には第２突起４９と対向する場所に回路基板２２に設置されたＬＥＤ素子２８が位置している。従って、導光部２６を介して回路基板２２上のＬＥＤ素子２８が点灯しているか否かを視認性良く確認できる。
【００６３】
図７は第１突起及び第３突起の位置関係を説明するための要部模式断面図である。図７において、第１突起４８の外周側の側面を第１側面５２とし、第１凹部５１のうち第１側面５２と向かい合う側面を第２側面５３とする。そして、第１側面５２と第２側面５３との間の隙間を第１隙間５４とする。この第１側面５２及び第２側面５３は撥水性を有する撥水面になっている。これにより、第１側面５２及び第２側面５３上に沿って液体が移動し難くなる。従って、第１側面５２と第２側面５３との間の第１隙間５４を液体が通過し難くできる。
【００６４】
第１突起４８の第６孔２１ｆと第２突起４９との間の隙間を第２隙間５５とする。第２隙間５５で最も狭くなっている場所は第１隙間５４より狭くなっている。
【００６５】
水受基板２１は筒状の第１突起４８を有しており、筒状の第１突起４８の内側は第６孔２１ｆになっている。導光部２６は第２突起４９を備え、第２突起４９が第６孔２１ｆに挿入されている。さらに、導光部２６は第１凹部５１を備え、第１突起４８が第１凹部５１に挿入されている。このように、水受基板２１及び導光部２６の構造は水受基板２１及び第１ボタン１１の構造と同様の構造になっている。従って、第５孔１７ｅから液体が浸入するときにも、液体が水受基板２１の裏面２１ｉに到達することを抑制できる。
【００６６】
上述したように、本実施形態によれば、以下の効果を有する。
（１）本実施形態によれば、ウォータージェットメス装置１は水受基板２１及び第１ボタン１１を備えている。水受基板２１は筒状の第１突起３４を有しており、筒状の第１突起３４の内側は第１孔２１ａになっている。第１ボタン１１は第２突起３５を備え、第２突起３５が第１孔２１ａに挿入されている。さらに、第１ボタン１１は第１凹部３７を備え、第１突起３４が第１凹部３７に挿入されている。
【００６７】
特許文献１の構造には第１隙間４６に相当する隙間があるが第２隙間４７に相当する隙間がない。このとき、操作者が第１ボタン１１を操作するとき、水受基板２１に対して第１ボタン１１が傾き易くなる。また、水受基板２１の平面方向に第１ボタン１１が移動し易くなる。そして、第１ボタン１１が傾いたり移動するとき、第１隙間４６の間隔が変動するので第１隙間４６に位置する液体が壁に押されて第１孔２１ａに移動する。本実施形態の電子機器は第１隙間４６及び第２隙間４７を備える構造になっている為、第１ボタン１１の傾きや水受基板２１の平面方向への第１ボタン１１の移動が抑制されている。その結果、水受基板２１を貫通する第１ボタン１１を設置するときにも液体が水受基板２１を通過することを抑制できる。
【００６８】
（２）本実施形態によれば、第１ボタン１１において第１突起３４、第２突起３５及び第１凹部３７は同軸の回転体である。従って、軸と交差するいずれの方向から押されるときにも第１ボタン１１の傾きや水受基板２１の平面方向への第１ボタン１１の移動を抑制できる。導光部２６において第１突起４８、第２突起４９及び第１凹部５１は同軸の回転体である。従って、軸と交差するいずれの方向から押されるときにも導光部２６の傾きや水受基板２１の平面方向への導光部２６の移動を抑制できる。
【００６９】
（３）本実施形態によれば、第１突起３４の外周側の側面である第１側面４４は撥水性を有している。さらに、第１凹部３７の側面である第２側面４５も撥水性を有している。従って、第１側面４４及び第２側面４５上に沿って液体が移動し難い。従って、第１側面４４と第２側面４５との間である第１隙間４６を液体が通過し難くできる。
【００７０】
（４）本実施形態によれば、第１ボタン１１において第２隙間４７は第１隙間４６より狭い。従って、水受基板２１と第１ボタン１１とが相対移動するときには第１孔２１ａの側面と第２突起３５の側面とが摺動するので、第１突起３４の第１側面４４と第１凹部３７の第２側面４５とが擦れることを抑制できる。その結果、第１側面４４及び第２側面４５の表面が荒れて撥水性が損なわれることを抑制できる。
【００７１】
（５）本実施形態によれば、水受基板２１において第１突起３４が突出する表面２１ｇは親水性を有している。従って、表面２１ｇ上を液体が容易に通過する。その結果、表面２１ｇにおける水深を深くし難くできる。
【００７２】
（６）本実施形態によれば、回路基板２２はスイッチ２７を有している。そして、スイッチ２７は第２突起３５と接している。従って、操作者は第２突起３５を押すことによりスイッチ２７を操作できる。規制弁３８は第１突起３４と第１凹部３７との間に位置する気体の移動方向を規制する。従って、操作者が第１ボタン１１を押して動かすとき、第１突起３４と第１凹部３７との間に位置する気体は所定の方向に移動する。このとき、気体が表面２１ｇ側に移動するように気体を規制することにより、液体が第１隙間４６を通過することを抑制できる。
【００７３】
（７）本実施形態によれば、導光部２６は光透過性を有している。そして、水受基板２１の裏面２１ｉ側には回路基板２２が設置され、第２突起４９と対向する場所にＬＥＤ素子２８が設置されている。従って、導光部２６を介して回路基板２２上のＬＥＤ素子２８が点灯しているか否かを視認性良く確認できる。
【００７４】
（８）本実施形態によれば、水受基板２１の表面２１ｇ側には外装部１７が位置している。そして、第１ボタン１１が外装部１７から露出する。外装部１７と水受基板２１との間には流路壁３０が設置され、流路壁３０は液体の流動を規制する。そして、流路壁３０は液体を排水口２１ｈに導き、排水口２１ｈから液体が排出される。従って、液体が水受基板２１上に留まることを抑制できる。
【００７５】
（９）本実施形態によれば、第１ボタン１１と第２ボタン１２との間には隙間板２５が設置されている。隙間板２５により第１ボタン１１と第２ボタン１２との間の隙間が狭くなるので、第１ボタン１１と第２ボタン１２との間から液体が水受基板２１の表面２１ｇへ浸入することを抑制できる。
【００７６】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記実施形態では、第１側面４４及び第２側面４５は撥水性を有する撥水面になっている。第１側面４４及び第２側面４５の材料である樹脂材料に撥水性があり、液体の浸入を抑制できるときには、特別な表面処理や添加物を材料に加えることをしなくても良い。撥水面が設置されれば良い。このときにも、第１側面４４と第２側面４５との間の第１隙間４６を液体が通過し難くできる。また、第１隙間４６及び第２隙間４７が狭くて液体が通過し難いときには、第１側面４４及び第２側面４５を撥水面にしなくてもよい。撥水面にする工程や添加物を省けるので生産性良くウォータージェットメス装置１を製造できる。
【００７７】
（変形例２）
前記実施形態では、第１突起３４、第２突起３５及び第１凹部３７は同軸の回転体であった。第１隙間４６及び第２隙間４７を精度良く形成できるときには第１突起３４、第２突起３５及び第１凹部３７は同軸の回転体でなくても良い。多角性や楕円形にしても良い。製造し易い形状にしても良い。
【００７８】
（変形例３）
前記実施形態では、第２隙間４７は第１隙間４６より狭い形態にした。第１側面４４及び第２側面４５の撥水面が擦れても撥水性が低下しないときには、第２隙間４７は第１隙間４６と同等か長くても良い。第２隙間４７は第１隙間４６との寸法関係が特に限定されないので生産性良くウォータージェットメス装置１を製造できる。
【００７９】
（変形例４）
前記実施形態では水受基板２１の表面２１ｇの表面形状を指定しなかった。表面２１ｇに排水口２１ｈに続く溝が設置されても良い。液体が排水口２１ｈに誘導されるので、効率良く液体を排水できる。
【００８０】
（変形例５）
前記実施形態では電子機器としてウォータージェットメス装置１の例を示した。水受基板２１に示される基板と、第１ボタン１１、第２ボタン１２、第３ボタン１４、及び第４ボタン１５に示される構造物を備える電子機器はウォータージェットメス装置１に限らない。例えば、プリンター、パソコン、オーディオ、スマートフォンに代表される携帯機器、リモコン等の電子機器に適用することができる。他にも、自動車、飛行機、工作機械等に搭載された電子機器にも適用することができる。
【符号の説明】
【００８１】
１…電子機器としてのウォータージェットメス装置、１１…構造物としての第１ボタン、１２…構造物としての第２ボタン、１４…構造物としての第３ボタン、１５…構造物としての第４ボタン、１７…外装部、２１…基板としての水受基板、２１ａ…貫通孔としての第１孔、２１ｂ…貫通孔としての第２孔、２１ｃ…貫通孔としての第３孔、２１ｄ…貫通孔としての第４孔、２１ｆ…貫通孔としての第６孔、２１ｇ…第１面としての表面、２１ｈ…排水口、２１ｉ…第２面としての裏面、２２…回路基板、２６…構造物としての導光部、２７…スイッチ、２８…光源としてのＬＥＤ素子、３０…流路壁、３４，４８…第１突起、３５，４９…第２突起、３７，５１…凹部としての第１凹部、３８…規制弁、４４…第１側面、４５…第２側面、４６，５４…第１隙間、４７，５５…第２隙間、５０…第３突起。
【図１】
2018005979.tif 000003
【図２】
2018005979.tif 000004
【図３】
2018005979.tif 000005
【図４】
2018005979.tif 000006
【図５】
2018005979.tif 000007
【図６】
2018005979.tif 000008
【図７】
2018005979.tif 000009